(57)【要約】【課題】ＲＦＩＤ媒体１４への媒体データの読書き処理が正常であったかを迅速に検証し、多数枚のＲＦＩＤ媒体１４を高速で処理し、読書き処理がエラーとなった場合の対処が容易なＲＦＩＤ媒体１４の読書き検証装置およびその読書き検証方法を提供する。【解決手段】ＲＦＩＤ媒体１４の移送路１１に沿って複数本の装置アンテナを設けること、検証用の装置アンテナを設けることに着目し、移送路１１に順次設けた第１の装置アンテナ１９、第２の装置アンテナ２０および第３の装置アンテナ２１を有するデータ読書き部３と、第３の装置アンテナ２１の下流側に設けた第４の装置アンテナ２４を有するデータ検証部６と、を有し、データ読書き部３とＲＦＩＤ媒体１４との間で無線データ通信による媒体データの読取りおよび書込みを順次実行可能とし、データ検証部６においてＲＦＩＤ媒体１４から媒体データを読み取ってその検証を実行可能としている。【選択図】図１
2018120602.tif 000002
【特許請求の範囲】
【請求項１】
ＩＣチップおよびＲＦＩＤアンテナを有し、無線データ通信が可能なＲＦＩＤ媒体の読書き検証装置であって、
前記ＲＦＩＤ媒体を上流側から下流側に向かってその移送路に沿って移送可能としているとともに、
この移送路に上流側から下流側に向かって順次設けた第１の装置アンテナ、第２の装置アンテナおよび第３の装置アンテナを有するデータ読書き部と、
この第３の装置アンテナの下流側に設けた印字部と、
この印字部の下流側に設けた第４の装置アンテナを有するデータ検証部と、を有し、
前記第１の装置アンテナ、前記第２の装置アンテナおよび前記第３の装置アンテナと、前記ＲＦＩＤ媒体との間で、前記移送路に前記ＲＦＩＤ媒体を移送しつつ、前記無線データ通信による媒体データの読取りおよび書込みを順次実行可能とし、
前記印字部において、この媒体データに対応する印字データを前記ＲＦＩＤ媒体に印字するとともに、
前記第４の装置アンテナにおいて、前記ＲＦＩＤ媒体から前記媒体データを読み取ってその検証を実行可能としていることを特徴とするＲＦＩＤ媒体の読書き検証装置。
【請求項２】
前記ＲＦＩＤ媒体は、前記移送路の幅方向に沿って複数列に配置した形態で、これを前記移送路に供給可能としていることを特徴とする請求項１記載のＲＦＩＤ媒体の読書き検証装置。
【請求項３】
前記ＲＦＩＤ媒体は、その複数枚を単位シートごとにまとめて配置した形態で、これを前記移送路に供給可能としていることを特徴とする請求項１または２記載のＲＦＩＤ媒体の読書き検証装置。
【請求項４】
前記第１の装置アンテナは、前記ＲＦＩＤ媒体の固有識別番号を読み取り可能であることを特徴とする請求項１ないし３のいずれかに記載のＲＦＩＤ媒体の読書き検証装置。
【請求項５】
前記第２の装置アンテナは、前記ＲＦＩＤ媒体に前記媒体データを書き込み可能であることを特徴とする請求項１ないし４のいずれかに記載のＲＦＩＤ媒体の読書き検証装置。
【請求項６】
前記第３の装置アンテナは、前記ＲＦＩＤ媒体に前記媒体データを書き込み可能であることを特徴とする請求項１ないし５のいずれかに記載のＲＦＩＤ媒体の読書き検証装置。
【請求項７】
前記第４の装置アンテナは、前記ＲＦＩＤ媒体に書き込まれた前記媒体データを前記単位シートごとに読み取り可能であることを特徴とする請求項３記載のＲＦＩＤ媒体の読書き検証装置。
【請求項８】
前記第１の装置アンテナおよび前記第２の装置アンテナは、前記ＲＦＩＤ媒体の前記複数列に合わせて、それぞれその複数本を設けていることを特徴とする請求項２記載のＲＦＩＤ媒体の読書き検証装置。
【請求項９】
前記第３の装置アンテナおよび前記第４の装置アンテナは、前記複数列の前記ＲＦＩＤ媒体それぞれとの間で前記無線データ通信が可能な単一のアンテナとしてこれを設けていることを特徴とする請求項２記載のＲＦＩＤ媒体の読書き検証装置。
【請求項１０】
前記印字部と前記第４の装置アンテナとの間に、前記印字部による前記印字データを読み取り可能な画像読取り部を設けていることを特徴とする請求項１ないし９のいずれかに記載のＲＦＩＤ媒体の読書き検証装置。
【請求項１１】
前記印字部による前記印字データは、前記ＲＦＩＤ媒体それぞれを目視により、あるいは光学的に特定可能に表示する前記ＲＦＩＤ媒体への媒体表示データを含むことを特徴とする請求項１ないし１０のいずれかに記載のＲＦＩＤ媒体の読書き検証装置。
【請求項１２】
前記ＲＦＩＤ媒体は、その複数枚を単位シートごとにまとめて配置した形態で、これを前記移送路に供給可能としているとともに、
前記印字部による前記印字データは、前記ＲＦＩＤ媒体のこの単位シートそれぞれを特定可能とするシートデータを含むことを特徴とする請求項１ないし１１のいずれかに記載のＲＦＩＤ媒体の読書き検証装置。
【請求項１３】
前記ＲＦＩＤ媒体は、その複数枚を単位シートごとにまとめた形態で、これを前記移送路に供給可能としているとともに、
前記画像読取り部は、前記印字部による前記ＲＦＩＤ媒体への前記媒体表示データを、前記ＲＦＩＤ媒体の前記単位シートごとに読み取り可能であることを特徴とする請求項１１記載のＲＦＩＤ媒体の読書き検証装置。
【請求項１４】
前記画像読取り部の下流側に、型抜き部を設けていることを特徴とする請求項１０記載のＲＦＩＤ媒体の読書き検証装置。
【請求項１５】
前記型抜き部は、前記第１の装置アンテナによる前記ＲＦＩＤ媒体の固有識別番号の読取りが正常ではない場合に、当該ＲＦＩＤ媒体を特定可能な型抜きを行うことを特徴とする請求項１４記載のＲＦＩＤ媒体の読書き検証装置。
【請求項１６】
前記型抜き部は、前記第２の装置アンテナあるいは前記第３の装置アンテナによる前記ＲＦＩＤ媒体への前記媒体データの書込みが正常ではない場合に、当該ＲＦＩＤ媒体を特定可能な型抜きを行うことを特徴とする請求項１４または１５記載のＲＦＩＤ媒体の読書き検証装置。
【請求項１７】
ＩＣチップおよびＲＦＩＤアンテナを有し、無線データ通信が可能なＲＦＩＤ媒体の読書き検証方法であって、
前記前記ＲＦＩＤ媒体を上流側から下流側に向かってその移送路に沿って移送するとともに、
この移送路に上流側から下流側に向かって順次設けた第１の装置アンテナ、第２の装置アンテナおよび第３の装置アンテナを有するデータ読書き部と、前記ＲＦＩＤ媒体との間で、前記移送路に前記ＲＦＩＤ媒体を移送しつつ、前記無線データ通信による媒体データの読取りおよび書込みを順次実行し、
前記第３の装置アンテナの下流側に設けた印字部において、この媒体データに対応する印字データを前記ＲＦＩＤ媒体に印字するとともに、
前記印字部の下流側に設けた第４の装置アンテナを有するデータ検証部において、前記ＲＦＩＤ媒体から前記媒体データを読み取ってその検証を行うことを特徴とするＲＦＩＤ媒体の読書き検証方法。
【発明の詳細な説明】
【技術分野】
【０００１】
本発明はＲＦＩＤ媒体の読書き検証装置およびその読書き検証方法にかかるもので、とくにＲＦＩＤ（Ｒａｄｉｏ  Ｆｒｅｑｕｅｎｃｙ  Ｉｄｅｎｔｉｆｉｃａｔｉｏｎ；無線自動認識）技術を応用したＲＦＩＤ媒体の読書き検証装置およびその読書き検証方法に関するものである。
【背景技術】
【０００２】
従来から、ＩＣチップおよびＲＦＩＤアンテナを有し、無線データ通信が可能なＲＦＩＤタグやＲＦＩＤラベルなどのＲＦＩＤ媒体は、リーダーライター（ＲＦＩＤ媒体の読書き装置）における装置アンテナとの間で各種媒体データの読取り処理および書込み処理を行うことにより、各種管理システムなどに利用されている。
当該ＲＦＩＤ媒体は、これを複数枚備えた帯状の連続体として、あるいは複数枚を備えたシート状部材として移送路上を移送し、上記装置アンテナの部位で上記媒体データの読書き処理（無線データ通信）を行うことにより、多数枚のＲＦＩＤ媒体を高速で処理することができる。
【０００３】
しかしながら、多数枚のＲＦＩＤ媒体を高速で処理しようとしたときに、上記読書き処理にエラーが生じた場合の対処を、迅速、適正かつ確実に実行可能とすることを保証しておくことが必要である。
すなわち、上記読書き処理が正常であったか否かを迅速に検証するとともに、万一、エラーが発生した際に、このエラーによる支障の発生を最小限に抑えることが要請されている。
【先行技術文献】
【特許文献】
【０００４】
【特許文献１】特開平９−２５４５０１号公報
【発明の概要】
【発明が解決しようとする課題】
【０００５】
本発明は以上のような諸問題にかんがみなされたもので、ＲＦＩＤ媒体への媒体データの読書き処理が正常であったか否かを迅速に検証することができるＲＦＩＤ媒体の読書き検証装置およびその読書き検証方法を提供することを課題とする。
【０００６】
また本発明は、多数枚のＲＦＩＤ媒体を高速で処理可能なＲＦＩＤ媒体の読書き検証装置およびその読書き検証方法を提供することを課題とする。
【０００７】
また本発明は、ＲＦＩＤ媒体への媒体データの読書き処理がエラーとなった場合の対処が容易なＲＦＩＤ媒体の読書き検証装置およびその読書き検証方法を提供することを課題とする。
【課題を解決するための手段】
【０００８】
すなわち本発明は、ＲＦＩＤ媒体の移送路に沿って複数本の装置アンテナを設けること、および媒体データの検証用の装置アンテナ（データ検証部）を設けることに着目したもので、第一の発明は、ＩＣチップおよびＲＦＩＤアンテナを有し、無線データ通信が可能なＲＦＩＤ媒体の読書き検証装置であって、上記ＲＦＩＤ媒体を上流側から下流側に向かってその移送路に沿って移送可能としているとともに、この移送路に上流側から下流側に向かって順次設けた第１の装置アンテナ、第２の装置アンテナおよび第３の装置アンテナを有するデータ読書き部と、この第３の装置アンテナの下流側に設けた印字部と、この印字部の下流側に設けた第４の装置アンテナを有するデータ検証部と、を有し、上記第１の装置アンテナ、上記第２の装置アンテナおよび上記第３の装置アンテナと、上記ＲＦＩＤ媒体との間で、上記移送路に上記ＲＦＩＤ媒体を移送しつつ、上記無線データ通信による媒体データの読取りおよび書込みを順次実行可能とし、上記印字部において、この媒体データに対応する印字データを上記ＲＦＩＤ媒体に印字するとともに、上記第４の装置アンテナにおいて、上記ＲＦＩＤ媒体から上記媒体データを読み取ってその検証を実行可能としていることを特徴とするＲＦＩＤ媒体の読書き検証装置である。
【０００９】
第二の発明は、ＩＣチップおよびＲＦＩＤアンテナを有し、無線データ通信が可能なＲＦＩＤ媒体の読書き検証方法であって、上記ＲＦＩＤ媒体を上流側から下流側に向かってその移送路に沿って移送するとともに、この移送路に上流側から下流側に向かって順次設けた第１の装置アンテナ、第２の装置アンテナおよび第３の装置アンテナを有するデータ読書き部と、上記ＲＦＩＤ媒体との間で、上記移送路に上記ＲＦＩＤ媒体を移送しつつ、上記無線データ通信による媒体データの読取りおよび書込みを順次実行し、上記第３の装置アンテナの下流側に設けた印字部において、この媒体データに対応する印字データを上記ＲＦＩＤ媒体に印字するとともに、上記印字部の下流側に設けた第４の装置アンテナを有するデータ検証部において、上記ＲＦＩＤ媒体から上記媒体データを読み取ってその検証を行うことを特徴とするＲＦＩＤ媒体の読書き検証方法である。
【００１０】
上記ＲＦＩＤ媒体は、上記移送路の幅方向に沿って複数列に配置した形態で、これを上記移送路に供給可能としていることができる。
【００１１】
上記ＲＦＩＤ媒体は、その複数枚を単位シートごとにまとめて配置した形態で、これを上記移送路に供給可能としていることができる。
【００１２】
上記第１の装置アンテナは、上記ＲＦＩＤ媒体の固有識別番号を読み取り可能であることができる。
【００１３】
上記第２の装置アンテナは、上記ＲＦＩＤ媒体に上記媒体データを書き込み可能であることができる。
【００１４】
上記第３の装置アンテナは、上記ＲＦＩＤ媒体に上記媒体データを書き込み可能であることができる。
【００１５】
上記第４の装置アンテナは、上記ＲＦＩＤ媒体に書き込まれた上記媒体データを上記単位シートごとに読み取り可能であることができる。
【００１６】
上記第１の装置アンテナおよび上記第２の装置アンテナは、上記ＲＦＩＤ媒体の上記複数列に合わせて、それぞれその複数本を設けていることができる。
【００１７】
上記第３の装置アンテナおよび上記第４の装置アンテナは、上記複数列の上記ＲＦＩＤ媒体それぞれとの間で上記無線データ通信が可能な単一のアンテナとしてこれを設けていることができる。
【００１８】
上記印字部と上記第４の装置アンテナとの間に、上記印字部による上記印字データを読み取り可能な画像読取り部を設けていることができる。
【００１９】
上記印字部による上記印字データは、上記ＲＦＩＤ媒体それぞれを目視により、あるいは光学的に特定可能に表示する上記ＲＦＩＤ媒体への媒体表示データを含むことができる。
【００２０】
上記ＲＦＩＤ媒体は、その複数枚を単位シートごとにまとめて配置した形態で、これを上記移送路に供給可能としているとともに、上記印字部による上記印字データは、上記ＲＦＩＤ媒体のこの単位シートそれぞれを特定可能とするシートデータを含むことができる。
【００２１】
上記ＲＦＩＤ媒体は、その複数枚を単位シートごとにまとめた形態で、これを上記移送路に供給可能としているとともに、上記画像読取り部は、上記印字部による上記ＲＦＩＤ媒体への上記媒体表示データを、上記ＲＦＩＤ媒体の上記単位シートごとに読み取り可能であることができる。
【００２２】
上記画像読取り部の下流側に、型抜き部を設けていることができる。
【００２３】
上記型抜き部は、上記第１の装置アンテナによる上記ＲＦＩＤ媒体の固有識別番号の読取りが正常ではない場合に、当該ＲＦＩＤ媒体を特定可能な型抜きを行うことができる。
【００２４】
上記型抜き部は、上記第２の装置アンテナあるいは上記第３の装置アンテナによる上記ＲＦＩＤ媒体への上記媒体データの書込みが正常ではない場合に、当該ＲＦＩＤ媒体を特定可能な型抜きを行うことができる。
【発明の効果】
【００２５】
本発明によるＲＦＩＤ媒体の読書き検証装置およびその読書き検証方法においては、ＲＦＩＤ媒体の移送路に沿って媒体データ読書き用の複数本の装置アンテナ（第１、第２および第３の装置アンテナ）を設けるとともに、媒体データ検証用の装置アンテナ（第４の装置アンテナ）を設けたので、ＲＦＩＤ媒体の移送路において、媒体データの読取り処理および書込み処理はもちろん、この読取り書込み処理が正常であったか否かの検証を迅速に行うことができ、多数枚のＲＦＩＤ媒体を高速で処理することができる。
【００２６】
とくに第一の発明のＲＦＩＤ媒体の読書き検証装置によれば、ＲＦＩＤ媒体の移送路に上流側から下流側に向かって順次設けた第１の装置アンテナ、第２の装置アンテナおよび第３の装置アンテナと、印字部の下流側に設けた第４の装置アンテナと、を有し、第１の装置アンテナ、第２の装置アンテナあるいは第３の装置アンテナと、ＲＦＩＤ媒体との間で、移送路にＲＦＩＤ媒体を移送しつつ、無線データ通信による媒体データの読取りおよび書込みを順次実行可能とし、第４の装置アンテナにおいて、媒体データを読み取ってその検証を実行可能としたので、ＲＦＩＤ媒体への媒体データをより確実、かつ高速で読取り書込み処理することができるとともに、エラー発生時に直ちに対処が可能である。
【００２７】
とくに第二の発明のＲＦＩＤ媒体の読書き検証方法によれば、この移送路に上流側から下流側に向かって順次設けた第１の装置アンテナ、第２の装置アンテナあるいは第３の装置アンテナと、ＲＦＩＤ媒体との間で、移送路にＲＦＩＤ媒体を移送しつつ、無線データ通信による媒体データの読取りおよび書込みを順次実行可能とし、印字部の下流側に設けた第４の装置アンテナにおいて、媒体データを読み取ってその検証を行うようにしたので、ＲＦＩＤ媒体への媒体データをより確実、かつ高速で読取り書込み処理することができるとともに、エラー発生時に直ちに対処が可能である。
【図面の簡単な説明】
【００２８】
【図１】本発明の実施例によるＲＦＩＤ媒体の読書き検証装置１の概略側面図である。
【図２】同、ＲＦＩＤ媒体の読書き検証装置１の概略平面図である。
【図３】同、ＲＦＩＤ媒体１４の読書き検証方法のフローチャート図である。
【発明を実施するための形態】
【００２９】
本発明は、ＲＦＩＤ媒体の移送路に沿って媒体データ読書き用の複数本の装置アンテナを設けるとともに、媒体データ検証用の装置アンテナを設けたので、エラー発生を確実に見いだし、その対処が容易で、多数枚のＲＦＩＤ媒体を高速に処理することができるＲＦＩＤ媒体の読書き検証装置およびその読書き検証方法を実現した。
【実施例】
【００３０】
つぎに本発明の実施例によるＲＦＩＤ媒体の読書き検証装置１およびその読書き検証方法を図１ないし図３にもとづき説明する。
図１は、ＲＦＩＤ媒体の読書き検証装置１の概略側面図、図２は、ＲＦＩＤ媒体の読書き検証装置１の概略平面図であって、ＲＦＩＤ媒体の読書き検証装置１は、供給部２と、データ読書き部３と、印字部４と、画像読取り部５と、データ検証部６と、型抜き部７と、スタック部８と、制御部９と、を有する。
【００３１】
供給部２は、ファンホールド紙の形態としたＲＦＩＤ媒体連続紙１０を折畳み積層状態で保持し、読書き検証装置１内の移送路１１上にＲＦＩＤ媒体連続体１０を帯状に繰り出し可能とする。
ＲＦＩＤ媒体連続体１０は、シート本体１２に所定間隔でミシン目１３を形成してこれを単位シート１０Ａとして分離可能としてあり、各単位シート１０Ａに複数枚（図２に示す例では、横１０列、縦３列の計３０枚）のＲＦＩＤ媒体１４を配置している。
また、シート本体１２の左右両縁部に移送用孔１５をそれぞれ所定ピッチで形成しているとともに、その裏面側に位置検出用マーク（図示せず）をあらかじめ印刷している。
【００３２】
ＲＦＩＤ媒体１４は、図２の一部にその平面図を拡大して示すように、媒体フィルム１６上のほぼ中央位置に設けたＩＣチップ１７と、ＩＣチップ１７に接続する、たとえばＵＨＦの帯域（３００ＭＨｚ〜３ＧＨｚ）で使用するＲＦＩＤアンテナ１８と、を有し、データ読書き部３との間で無線データ通信（データの読書き処理）を可能としている。
なお、ＩＣチップおよびＲＦＩＤアンテナを適宜選択設計することにより、マイクロ波（１〜３０ＧＨｚ）あるいはＨＦ帯（３ＭＨｚ〜３０ＭＨｚ）など、その他の周波数帯域で使用可能とすることもできる。
【００３３】
ＲＦＩＤ媒体１４は、図示の例では、その複数枚を単位シート１０Ａごとにまとめて配置した形態で、これを移送路１１に供給可能としているが、ＲＦＩＤ媒体連続体１０にミシン目１３を形成せずに（すなわち、ＲＦＩＤ媒体１４を単位シート１０Ａではなく）、移送路１１の幅方向に沿って複数列に配置したままの連続帯状部材の形態で、あるいは、それぞれ独立した単葉のシート用紙としてこれを移送路１１に供給することもできる。
【００３４】
上記移送路１１においては、移送用孔１５に係合するスプロケットなどによる移送機構および位置検出用マークセンサー（ともに図示せず）を設けて、所定の速度で、ＲＦＩＤ媒体１４（ＲＦＩＤ媒体連続体１０）を上流側から下流側に向かって移送路１１に沿って移送可能としている。
【００３５】
データ読書き部３は、移送路１１に上流側から下流側に向かって順次設けた第１の装置アンテナ１９と、第２の装置アンテナ２０と、第３の装置アンテナ２１と、を有し、それぞれに接続しているリーダーライター（図示せず）によるＲＦＩＤ媒体１４との間の無線データ通信を可能としている。
【００３６】
第１の装置アンテナ１９は、それぞれのＲＦＩＤ媒体１４の製造段階で付された固有識別番号を読み取り可能である。
第２の装置アンテナ２０は、ＲＦＩＤ媒体１４が取り付けられる各種物品情報ないし商品情報（図示せず）その他必要な媒体データをＲＦＩＤ媒体１４（ＩＣチップ１７）に書き込み可能である。
第３の装置アンテナ２１は、同じく、ＲＦＩＤ媒体１４に媒体データを書き込み可能であり、第２の装置アンテナ２０による書込み処理が正常ではない場合に、再度の書込み動作を行う。
【００３７】
なお、第１の装置アンテナ１９および第２の装置アンテナ２０は、ＲＦＩＤ媒体１４の複数列に合わせて、それぞれその複数本（図示の例では、１０本）を設けている。ただし図２に示すように、それぞれの第１の装置アンテナ１９および第２の装置アンテナ２０をＲＦＩＤ媒体連続体１０の移送方向において、それぞれ上流側および下流側に交互にわずかにずらして配置することにより（いわゆる、千鳥状に配置することにより）、限られた空間内にコンパクトにこれらを配置可能としている。
第３の装置アンテナ２１は、複数列のＲＦＩＤ媒体１４を幅方向全体に図中上方から覆うことにより、ＲＦＩＤ媒体１４それぞれとの間で無線データ通信が可能な単一のアンテナとしてこれを設けている。
かくして、データ読書き部３における第１の装置アンテナ１９と、第２の装置アンテナ２０あるいは第３の装置アンテナ２１と、ＲＦＩＤ媒体１４との間で、移送路１１にＲＦＩＤ媒体１４を移送しつつ、無線データ通信による媒体データの読取りおよび書込みを順次実行可能としている。
【００３８】
印字部４は、第３の装置アンテナ２１の下流側にこれを設けており、所定の印字速度を有する任意の印字方式によるプリンター、たとえばレーザープリンター２２（あるいはインクジェットプリンターなど）を採用可能である。
印字部４においては、ＲＦＩＤ媒体連続体１０におけるＩＣチップ１７に記憶する媒体データに対応する印字データをＲＦＩＤ媒体１４に印字する。
印字部４による印字データは、ＲＦＩＤ媒体１４それぞれを目視により、あるいはバーコードや二次元コードなどにより光学的に特定可能に表示するＲＦＩＤ媒体１４への媒体表示データを含む。
さらに、ＲＦＩＤ媒体１４の複数枚を単位シート１０Ａごとにまとめた形態で、これを当該読書き検証装置１（移送路１１）に供給可能としている場合には、印字部４による印字データは、ＲＦＩＤ媒体１４の単位シート１０Ａそれぞれを特定可能とするシートデータ（たとえば、シート連番、図２では「０００３」を例示的に描いている）を含むことができる。
【００３９】
画像読取り部５は、印字部４の下流側であって、データ検証部６の上流側にこれを設けており、任意の読取り装置、たとえばＣＣＤカメラ２３などを採用し、印字部４による印字データを読み取り可能としている。
すなわち、ＣＣＤカメラ２３は、ＲＦＩＤ媒体１４上への印字データ（媒体表示データ）およびＲＦＩＤ媒体連続体１０のシート本体１２への印字データ（シートデータ）を読み取り可能である。
ＣＣＤカメラ２３は、印字部４による印字データのうち上記シートデータ（シート連番）を最低限読み取ることができるようにしておけば、このシートデータに関連付けて上記媒体表示データや媒体データを認識管理可能である。
また、ＲＦＩＤ媒体１４が単位シート１０Ａ（シート本体１２）ごとにまとめた形態で、これを当該読書き検証装置１（移送路１１）に供給可能としている場合には、画像読取り部５として、ＲＦＩＤ媒体１４の列数（図示の例では、ＲＦＩＤ媒体連続体１０の幅方向に１０列）だけ複数個のＣＣＤカメラ２３（図中、仮想線）を備えておけば、印字部４によるＲＦＩＤ媒体１４への媒体表示データを、ＲＦＩＤ媒体１４の単位シート１０Ａごとに直接読み取り可能で、印字データ（媒体表示データ）が正常に印字されたかの検証も可能である。
【００４０】
データ検証部６は、第４の装置アンテナ２４を有し、第４の装置アンテナ２４は、複数列のＲＦＩＤ媒体１４それぞれとの間で無線データ通信が可能な単一のアンテナとしてこれを設けている。
また、第４の装置アンテナ２４は、ＲＦＩＤ媒体１４に書き込まれた媒体データを単位シート１０Ａごとに読み取り可能である。
したがって、この第４の装置アンテナ２４において、シート本体１２に書き込まれた媒体データを読み取って、読み取られた媒体データと、本来読み込むべき媒体データとが一致しているかの検証（すなわち、媒体データの書込み処理が正常か否かの検証）を実行可能としている。
【００４１】
型抜き部７は、画像読取り部５の下流側にこれを設けている。
型抜き部７は、ＲＦＩＤ媒体連続体１０におけるＲＦＩＤ媒体１４の複数列に合わせて、複数個の切込み形成具２５を設け、たとえば任意の切込み形成用爪（図示せず）により、印字データや媒体データの読取り書込み処理が正常ではなかったエラー媒体（ＲＦＩＤ媒体１４）の端縁部を切り込むことにより、ＲＦＩＤ媒体１４の面内から起立した起立片２６を形成する。この起立片２６の形状およびサイズは任意であり、起立片２６ではなく、パンチ孔として形成することもできる。
具体的には、型抜き部７は、第１の装置アンテナ１９によるＲＦＩＤ媒体１４の固有識別番号の読取り処理が正常ではない場合に、当該ＲＦＩＤ媒体１４を特定可能な型抜きを行う。
さらに型抜き部７は、第２の装置アンテナ２０あるいは第３の装置アンテナ２１によるＲＦＩＤ媒体１４への媒体データの書込み処理が正常ではない場合に、当該ＲＦＩＤ媒体１４を特定可能な型抜きを行う。
【００４２】
スタック部８は、データ読書き部３、印字部４、画像読取り部５、データ検証部６および型抜き部７においてそれぞれの処理が終了したＲＦＩＤ媒体連続体１０をファンホールド形態で積み重ねてゆく。
このスタック部８に発行された印字データおよび媒体データを備えたＲＦＩＤ媒体連続体１０を一枚一枚のＲＦＩＤ媒体１４に切断して、所定の商品ないし管理物品にＲＦＩＤ媒体１４を取り付ける。
【００４３】
制御部９は、操作表示ディスプレイ２７および必要な制御回路２８を備えるとともに、上述のデータ読書き部３、印字部４、画像読取り部５、データ検証部６および型抜き部７をそれぞれ制御する。
【００４４】
こうした構成のＲＦＩＤ媒体の読書き検証装置１によるＲＦＩＤ媒体１４の読書き検証方法を図３にもとづき説明する。
図３は、ＲＦＩＤ媒体の読書き検証装置１によるＲＦＩＤ媒体１４の読書き検証方法のフローチャート図であって、ステップＳ１において、供給部２からＲＦＩＤ媒体連続体１０を読書き検証装置１内の移送路１１に移送を開始する。
ステップＳ２において、ＲＦＩＤ媒体連続体１０がデータ読書き部３における無線通信可能領域に至ったかを判断し、無線通信可能領域に至れば、まず、ステップＳ３において、第１の装置アンテナ１９がＲＦＩＤ媒体１４の固有識別番号を読み取る。
ステップＳ４において、この読取りが正常か否かを判断し、正常でなければ、ステップＳ５において、固有識別番号を読み取れなかったＲＦＩＤ媒体１４の表面に印字部４によるエラー印字（たとえば「エラー」など）を行う。
【００４５】
ステップＳ４においてＲＦＩＤ媒体１４の固有識別番号の読取りが正常と判断されれば、ステップＳ６において、第２の装置アンテナ２０によるＲＦＩＤ媒体１４（ＩＣチップ１７）への媒体データの書込みを行い、ステップＳ７でこの書込みが正常か否かを判断し、正常でなければ、ステップＳ８において第３の装置アンテナ２１による媒体データの再度の書込みを行う。
【００４６】
つぎのステップＳ９において、印字部４（レーザープリンター２２）による媒体表示データの印字を行う。たとえば、ＲＦＩＤ媒体１４を衣料品（図示せず）に取り付ける場合には、任意の文字、数字や図柄などによる服のサイズその他必要な目視可能な商品データ、さらには、バーコードや二次元コードなどの光学的に読み取り可能なデータを印字する。
また、ＲＦＩＤ媒体連続体１０の各単位シート１０Ａ（シート本体１２）にシートデータ（たとえばシート連番、図２には、一例として「０００３」を描いている）を印字する。
【００４７】
さらにステップＳ１０において、ＲＦＩＤ媒体連続体１０の単位シート１０Ａごとの媒体データを読み出す。
すなわち、画像読取り部５のＣＣＤカメラ２３が印字部４による上記シート連番（シートデータ）を読み取って認識し、このシート連番で管理されたＲＦＩＤ媒体連続体１０のそれぞれのＲＦＩＤ媒体１４の書き込んだ媒体データを読み出す。
ついでステップＳ１１で、データ検証部６における第４の装置アンテナ２４によるＲＦＩＤ媒体１４からの媒体データを読み取って、上記シート連番で管理されたＲＦＩＤ媒体連続体１０のそれぞれのＲＦＩＤ媒体１４の媒体データと、これらの読み取られた媒体データが一致しているかを判断する。
書き込んだ媒体データと読み取った媒体データとが互いに一致していなければ、ステップＳ１２において、書込み処理が正常ではないとしてＲＦＩＤ媒体の読書き検証装置１の移送を停止し、操作表示ディスプレイ２７に必要なエラー警告を行うとともに、必要な対処も指示可能とする。たとえば、ＲＦＩＤ媒体連続体１０を読書き検証装置１の移送路１１から取り外して再度移送して、既述のような読取り書込み処理を再度行うか、正常な書込み処理が行われなかったＲＦＩＤ媒体１４を含む単位シート１０Ａをミシン目１３において切り離す、などである。
【００４８】
ステップＳ１１においてデータ一致していれば、ステップＳ１３において、第１の装置アンテナ１９によるＲＦＩＤ媒体１４の固有識別番号の読取り不良があったか否かを判断し、不良がある場合には、ステップＳ１４において、切込み形成具２５によるこのＲＦＩＤ媒体１４への型抜き動作を行い、ＲＦＩＤ媒体１４に起立片２６を形成することにより、このＲＦＩＤ媒体１４の使用不可を明示する。
固有識別番号の読取り不良がない場合にはステップＳ１５において、ステップＳ１３におけるデータ一致判断結果にもとづき、媒体データの書込み不良があったか否かを判断し、不良がある場合には、上記ステップＳ１４において、切込み形成具２５によるこのＲＦＩＤ媒体１４への型抜き動作を行い、ＲＦＩＤ媒体１４に起立片２６を形成することにより、このＲＦＩＤ媒体１４の使用不可を明示する。不良がなければ、このフローを終了する。
【００４９】
かくして、ＲＦＩＤ媒体１４を上流側から下流側に向かってその移送路１１に沿って移送するとともに、この移送路１１に上流側から下流側に向かって順次設けた第１の装置アンテナ１９、第２の装置アンテナ２０あるいは第３の装置アンテナ２１と、ＲＦＩＤ媒体１４との間で、移送路１１にＲＦＩＤ媒体１４を移送しつつ、無線データ通信による媒体データの読取りおよび書込みを順次実行し、印字部４において、この媒体データに対応する印字データをＲＦＩＤ媒体１４に印字するとともに、画像読取り部５において、印字データ（媒体表示データ、シートデータ）を読み取り、データ検証部６における第４の装置アンテナ２４において、媒体データを読み取ってその検証を行うとともに、型抜き部７において不良のＲＦＩＤ媒体１４に起立片２６を形成し、分別しやすくした。
【００５０】
したがって、移送路１１におけるＲＦＩＤ媒体連続体１０の移送とともに、媒体データの読取り書込みおよび印字データの表示を行い、画像読取り部５およびデータ検証部６による検証を実行可能として、データの読取り書込みにエラーが発生したことを即座かつ的確に判断することができる。
さらに、多数枚のＲＦＩＤ媒体１４を配置した複数枚の単位シート１０ＡとしてＲＦＩＤ媒体連続体１０を供給処理することにより、高速かつ大量の処理が可能であるとともに、エラーが発生した場合に、この単位シート１０Ａごとの対処が可能である。
【符号の説明】
【００５１】
１  ＲＦＩＤ媒体の読書き検証装置（実施例、図１、図２）
２  供給部
３  データ読書き部
４  印字部
５  画像読取り部
６  データ検証部
７  型抜き部
８  スタック部
９  制御部
１０  ＲＦＩＤ媒体連続体
１０Ａ  ＲＦＩＤ媒体連続体１０の単位シート
１１  移送路
１２  シート本体
１３  ミシン目
１４  ＲＦＩＤ媒体
１５  移送用孔
１６  媒体フィルム
１７  ＩＣチップ
１８  ＲＦＩＤアンテナ
１９  第１の装置アンテナ
２０  第２の装置アンテナ
２１  第３の装置アンテナ
２２  レーザープリンター
２３  ＣＣＤカメラ
２４  第４のアンテナ
２５  切込み形成具
２６  起立片
２７  操作表示ディスプレイ
２８  制御回路
【図１】
2018120602.tif 000003
【図２】
2018120602.tif 000004
【図３】
2018120602.tif 000005
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
ＩＣチップおよびＲＦＩＤアンテナを有し、無線データ通信が可能なＲＦＩＤ媒体の読書き検証装置であって、
前記ＲＦＩＤ媒体を上流側から下流側に移送可能とする移送路に設けられ、前記ＲＦＩＤ媒体に対して前記無線データ通信による媒体データの読取りおよび書込みを実行するデータ読書き部と、
前記データ読書き部の下流側に設けられ、前記媒体データに対応する印字データを前記ＲＦＩＤ媒体に印字する印字部と、
前記印字部により前記ＲＦＩＤ媒体に印字された印字データを読み取り可能な画像読取り部と、
前記印字部の下流側に設けられ、前記ＲＦＩＤ媒体から媒体データを読み取って検証を実行可能とするデータ検証部と、を有し、
前記データ検証部は、前記印字部により印字され、前記画像読取り部により読み取られた前記ＲＦＩＤ媒体を有するシートを特定するシートデータで管理された前記ＲＦＩＤ媒体の媒体データと、前記シートに含まれる１又は複数の前記ＲＦＩＤ媒体から読み取られた媒体データとが一致しているか検証することを特徴とするＲＦＩＤ媒体の読書き検証装置。
【請求項２】
前記データ検証部は、前記シートデータとして前記シートを特定するシート連番で管理された前記ＲＦＩＤ媒体の媒体データと、前記シート連番で特定される前記シートに含まれる１又は複数の前記ＲＦＩＤ媒体から読み取られた媒体データとが一致しているか検証することを特徴とする請求項１に記載のＲＦＩＤ媒体の読書き検証装置。
【請求項３】
前記データ検証部は、前記シートデータとして前記ＲＦＩＤ媒体が配置された複数枚の単位シートを特定するシートデータで管理された前記ＲＦＩＤ媒体の媒体データと、前記シートデータで特定される前記単位シートに含まれる１又は複数の前記ＲＦＩＤ媒体から読み取られた媒体データとが一致しているか検証することを特徴とする請求項１に記載のＲＦＩＤ媒体の読書き検証装置。
【請求項４】
前記データ読書き部は、前記移送路に上流側から下流側に順次設けられた第１の装置アンテナ、第２の装置アンテナおよび第３の装置アンテナを有し、
前記データ検証部は、前記ＲＦＩＤ媒体から媒体データを読み取る第４の装置アンテナを有することを特徴とする請求項１乃至３のいずれか１項に記載のＲＦＩＤ媒体の読書き検証装置。
【請求項５】
前記第３の装置アンテナは、前記第２の装置アンテナによる前記ＲＦＩＤ媒体への前記媒体データの書込みが正常でない場合に、再度書込み動作を行うことを特徴とする請求項４に記載のＲＦＩＤ媒体の読書き検証装置。
【請求項６】
ＩＣチップおよびＲＦＩＤアンテナを有し、無線データ通信が可能なＲＦＩＤ媒体の読書き検証方法であって、
前記ＲＦＩＤ媒体を上流側から下流側に移送可能とする移送路に設けられたデータ読書き部により、前記ＲＦＩＤ媒体に対して前記無線データ通信による媒体データの読取りおよび書込みを実行し、
前記データ読書き部の下流側に設けられた印字部により、前記媒体データに対応する印字データを前記ＲＦＩＤ媒体に印字し、
画像読取り部により、前記印字部により前記ＲＦＩＤ媒体に印字された印字データを読み取り、
前記印字部の下流側に設けられたデータ検証部により、前記ＲＦＩＤ媒体から媒体データを読み取って検証を実行し、
前記データ検証部により、前記印字部により印字され、前記画像読取り部により読み取られた前記ＲＦＩＤ媒体を有するシートを特定するシートデータで管理された前記ＲＦＩＤ媒体の媒体データと、前記シートに含まれる１又は複数の前記ＲＦＩＤ媒体から読み取られたデータとが一致しているか検証することを特徴とするＲＦＩＤ媒体の読書き検証方法